(57)【要約】      （修正有）【課題】空間の上開口を開閉するための蓋装置において、電源を不要とするとともに比較的簡素な構成としながら、止水性能を確保するとともに比較的簡易に開閉できるようにする。【解決手段】蓋５を昇降機構７により上昇させてからスライドさせることにより空間の上開口１を開放するようになっている。昇降機構７は、ねじ軸７２と雌ねじ部材７３とで構成する送りねじ機構であって、リフトハンドル７４を用いて人力によって作動させるようになっている。しかも、シールリング９，１０は、リップ付きであって、当該リップが斜め姿勢で蓋５に接触するようになっている。【選択図】図２
2018155026.tif 000002
【特許請求の範囲】
【請求項１】
空間の上開口を開閉するための蓋装置であって、
前記上開口を覆う外形の蓋と、
前記蓋の下側に支持部材を介して回動自在に支持されかつ前記蓋を前記上開口の閉塞位置と開放位置とにスライドさせる際の操作力を軽減させるためのローラと、
前記ローラを前記蓋に対して上下させる昇降機構と、
前記上開口の周囲を囲むように当該上開口側または前記蓋の下面側に径方向内外に同心円状に設けられる２つの環状溝に装着されかつ前記蓋の下面または前記上開口の周囲に圧接される接触タイプの２つのシールリングと、を備え、
前記両シールリングは、共に、前記環状溝に嵌合される胴部に、前記接触相手側へ向けて斜め外径側向きに突出するリップを設けた構成とされており、
前記昇降機構は、前記蓋に固定されて前記支持部材を上下昇降可能に案内するための案内部材と、
前記支持部材の上部に固定されて前記蓋の上面から上向きに突出するように当該蓋に設けられる貫通孔に挿通されるねじ軸と、
前記貫通孔内に嵌合固定されて前記ねじ軸が螺合挿入される雌ねじ部材と、
前記ねじ軸の突出部分に取り外し可能に係合装着されて当該ねじ軸を回動させるリフトハンドルと、を備えていることを特徴とする蓋装置。
【請求項２】
請求項１の蓋装置において、
前記上開口の周囲には、上面に前記蓋が載置されるとともに当該上面に前記２つの環状溝を有する受枠が設置され、
前記２つのシールリングは、前記受枠の前記２つの環状溝に装着されることによって前記蓋の閉塞時に前記各リップが前記蓋の下面に圧接される形態とされ、
前記蓋と前記受枠との間には、前記受枠から前記蓋を離隔不可能とするロック状態と離隔可能とするアンロック状態とに切り換えるためのロック機構が設けられる、ことを特徴とする蓋装置。
【請求項３】
請求項１または２の蓋装置において、
前記２つのシールリングの止水性能をテストする際に、前記外側のシールリングの代わりに、斜め内径側向きに突出するリップを有するテストシールリングが装着された状態で、前記テストシールリングと前記内側のシールリングとの対向間の密封空間に水圧印加装置により水圧が印加される形態とされる、ことを特徴とする蓋装置。
【発明の詳細な説明】
【技術分野】
【０００１】
本発明は、適宜の空間の上開口（出入口）を開閉するための蓋装置に関する。
【背景技術】
【０００２】
例えば特許文献１の第５図〜第７図ならびに明細書の第２頁〜第３頁には、船舶用のハッチカバーのラバーパッキンのこすれによる摩耗を防ぐために、前記ハッチカバーを油圧シリンダにより持ち上げた後、ウインチおよびワイヤにより前記ハッチカバーのローラを転動させながら前記ハッチカバーを横移動させるという構造が記載されている。
【０００３】
このような特許文献１の明細書の第４頁には、ハッチカバーの四隅に設けられる４つのローラを個別に昇降させるための４つの油圧シリンダが必要であるとともに、それの油圧配管が必要であるなど、構造が複雑化するとともに設備コストが非常に高くなる、ということが記載されている。
【０００４】
これに対し、特許文献１の第１図〜第４図ならびに明細書の第６頁〜第８頁には、前記油圧シリンダに替えて、ワイヤロープの巻き上げに伴いハッチカバーを持ち上げるためのジャッキアップ金具を用いることにより、低コスト化ならびに構造簡略化を図ることができる、ということが記載されている。
【０００５】
その他、例えば特許文献２の図１〜図８ならびに明細書の段落００１４〜００１７には、比較的簡易（人力）にマンホール等の蓋を持ち上げてスライドさせるという構造が記載されている。
【０００６】
この構造は、蓋の下面に４つの小車輪を取り付ける一方で、入孔部の外枠の内側にレールおよびレール昇降機構を設け、このレール昇降機構のネジ棒をＴ字形の治具棒で回転させることにより、前記レールおよび蓋を持ち上げてから、この蓋をスライドさせるようになっている。
【０００７】
さらに、例えば特許文献３の図１〜図５ならびに明細書の段落０００８〜００１４には、水平床面入口のスライド式閉蓋装置において、比較的簡易（人力）に蓋を持ち上げてスライドさせるという構造が記載されている。
【０００８】
この構造は、蓋体の下面に４つのローラを引込脚を介して取り付ける一方で、地下施設の入口周囲にガイドレールを取り付け、前記引込脚の作動軸を回動工具で回動させることにより、前記蓋体を押し上げてから、スライドさせるようになっている。
【０００９】
この特許文献３には、前記入口への浸水を防止するために止水ゴムを用いることが記載されている。この止水ゴムは、断面矩形状に形成されていて、前記蓋体側の縁枠の溝状部に嵌合されている。この止水ゴムは、前記蓋体の閉塞状態において前記入口側の縁枠に嵌合される一方、前記蓋体を押し上げたときに前記入口側の縁枠から離れるようになっている。
【先行技術文献】
【特許文献】
【００１０】
【特許文献１】実開平２−７４２９８号公報
【特許文献２】特許第２５８８４７７号公報
【特許文献３】特許第２９６４１４２号公報
【発明の概要】
【発明が解決しようとする課題】
【００１１】
上記特許文献１の第１図〜第４図に示すジャッキアップ工具は、ハッチカバーをスライドさせるためのワイヤロープに係合されていて、このワイヤロープをウインチで引っ張ることによって作動するものであるために、前記ウインチの駆動電源が停電などによって確保できない場合には、前記ジャッキアップ工具で前記ハッチカバーを持ち上げることができなくなることが懸念される。
【００１２】
上記特許文献２では、レールを持ち上げるようにしている関係より、レール昇降機構が大型化および複雑化していることが懸念される。
【００１３】
上記特許文献３では、蓋体を閉塞した状態で地下施設内から前記蓋体を開放可能とするための回動レバーを前記作動軸に設けるようにしていて、この回動レバーが入口側に突出するようになっているために、前記蓋体の設置作業が面倒になることが懸念される。
【００１４】
このような事情に鑑み、本発明は、空間の上開口を開閉するための蓋装置において、電源を不要とするとともに比較的簡素な構成としながら、止水性能を確保するとともに比較的簡易に開閉できるようにすることを目的としている。
【課題を解決するための手段】
【００１５】
本発明は、空間の上開口を開閉するための蓋装置であって、前記上開口を覆う外形の蓋と、前記蓋の下側に支持部材を介して回動自在に支持されかつ前記蓋を前記上開口の閉塞位置と開放位置とにスライドさせる際の操作力を軽減させるためのローラと、前記ローラを前記蓋に対して上下させる昇降機構と、前記上開口の周囲を囲むように当該上開口側または前記蓋の下面側に径方向内外に同心円状に設けられる２つの環状溝に装着されかつ前記蓋の下面または前記上開口の周囲に圧接される接触タイプの２つのシールリングと、を備え、前記両シールリングは、共に、前記環状溝に嵌合される胴部に、前記接触相手側へ向けて斜め外径側向きに突出するリップを設けた構成とされており、前記昇降機構は、前記蓋に固定されて前記支持部材を上下昇降可能に案内するための案内部材と、前記支持部材の上部に固定されて前記蓋の上面から上向きに突出するように当該蓋に設けられる貫通孔に挿通されるねじ軸と、前記貫通孔内に嵌合固定されて前記ねじ軸が螺合挿入される雌ねじ部材と、前記ねじ軸の突出部分に取り外し可能に係合装着されて当該ねじ軸を回動させるリフトハンドルと、を備えていることを特徴としている。
【００１６】
この構成の蓋装置は、電源を用いずに前記昇降機構でもって前記蓋を上昇させてから、前記ローラでもって前記蓋をスライドさせることにより前記空間の上開口を開放するようになっている。
【００１７】
つまり、前記昇降機構は、前記ねじ軸と前記雌ねじ部材とで構成する送りねじ機構であって、前記リフトハンドルを用いて人力で作動させる構成である。また、前記ローラは前記蓋の下面に前記支持部材を介して取り付けられる構成である。
【００１８】
このように、本発明の蓋装置は、比較的簡素な構成でありながら、比較的簡易かつ円滑に開閉できるようになるとともに、万一の停電発生時に前記蓋を開放できなくなるといった不具合が無い。
【００１９】
しかも、前記シールリングは、リップ付きであって、当該リップが斜め姿勢で前記接触相手に接触する構成であるから、前記蓋が重量物であっても前記リップが潰れにくいなど耐久性に優れているうえ、当該リップが外部からの圧力印加時に接触相手への接触圧力が高められるようになるなど、止水性能が可及的に高くなる。
【００２０】
ところで、前記上開口の周囲には、上面に前記蓋が載置されるとともに当該上面に前記２つの環状溝を有する受枠が設置され、前記２つのシールリングは、前記受枠の前記２つの環状溝に装着されることによって前記蓋の閉塞時に前記各リップが前記蓋の下面に圧接される形態とされ、前記蓋と前記受枠との間には、前記受枠から前記蓋を離隔不可能とするロック状態と離隔可能とするアンロック状態とに切り換えるためのロック機構が設けられる、構成とすることが好ましい。
【００２１】
この構成では、シールリングの設置場所を特定しているとともに、前記蓋を開放するときの安全装置としてのロック機構を備えることを特定している。
【００２２】
この特定により、前記蓋体を開放するために上昇させてスライドさせる際に、当該蓋がシールリングのリップに擦れなくなるので、当該シールリングの摩耗寿命を延ばすことが可能になる。
【００２３】
また、前記ロック機構を備えることによって、前記蓋を開放する必要がないときに当該蓋の開放を禁止するための安全対策が図れるようになる。
【００２４】
また、前記２つのシールリングの止水性能をテストする際に、前記外側のシールリングの代わりに、斜め内径側向きに突出するリップを有するテストシールリングが装着された状態で、前記テストシールリングと前記内側のシールリングとの対向間の密封空間に水圧印加装置により水圧が印加される形態とされる、構成とすることが好ましい。
【００２５】
この構成では、前記シールリングの劣化度合いを目視点検する場合に比べて、点検作業員の熟練度に関係なく、前記シールリングの止水性能テストを簡単かつ正確に行えるようになる。
【発明の効果】
【００２６】
本発明に係る蓋装置は、電源を不要とするとともに比較的簡素な構成としながら、止水性能を確保するとともに比較的簡易に開閉できるようにする。
【図面の簡単な説明】
【００２７】
【図１】本発明に係る蓋装置の一実施形態を示す断面図であって、閉塞状態を示している。
【図２】図１において蓋を上昇させた状態を示す断面図である。
【図３】図１の蓋装置の一部を分解した断面図である。
【図４】図１の蓋装置の斜視図であって、閉塞状態を示している。
【図５】図４において蓋をスライドして開放した状態を示す斜視図である。
【図６】図２のリフトハンドルを示す斜視図である。
【図７】図１のロック機構を拡大して示す斜視図である。
【図８】図１の蓋装置を開放する際の断熱カバーを開けるときの様子を簡略して示す図である。
【図９】図８の続きで蓋を上昇させた状態を簡略して示す図である。
【図１０】図９の続きで蓋をスライドした状態を簡略して示す図である。
【図１１】図１のシールリングの止水性能テストの様子を示す図である。
【図１２】本発明に係る蓋装置の他の実施形態を示す断面図であって、閉塞状態を示している。
【図１３】図１２において蓋を上昇させた状態を示す断面図である。
【図１４】本発明に係る蓋装置のさらに他の実施形態を示す断面図であって、閉塞状態を示している。
【図１５】図１４において蓋を上昇させた状態を示す断面図である。
【図１６】図１４のスペーサおよびローラの案内部材を示す斜視図である。
【発明を実施するための形態】
【００２８】
以下、本発明を実施するための最良の実施形態について添付図面を参照して詳細に説明する。
【００２９】
図１から図１１に、本発明の一実施形態を示している。図中、１は地下空間の上開口（出入口）、２は蓋装置を示している。
【００３０】
上開口１は、平面視ほぼ正方形に形成されており、その四隅が丸みを帯びた形状とされている。
【００３１】
蓋装置２は、前記地下空間の上開口１を開閉するものであって、ベースプレート３、受枠４、蓋５、キャスター６、昇降機構７、ロック機構８、２つのシールリング９，１０、断熱カバー１１などを備えている。
【００３２】
ベースプレート３は、前記地下空間の上開口１の周囲の地盤に敷設されるものであって、例えば金属などで形成される。
【００３３】
このベースプレート３は、アンカーボルト３１ａおよびナット３１ｂなどにより固定されている。このベースプレート３と前記地下空間の上開口１の周囲の土台との間（界面）には、そこから水分が染み込むことを防止するために、目地材３２や止水板３３が設けられている。
【００３４】
受枠４は、蓋５が搭載されるものであって、例えば金属、適宜の合成樹脂あるいはカーボン繊維などで形成される。
【００３５】
この受枠４は、ベースプレート３の上にスタッドボルト４５ａおよびナット４５ｂなどの締結部材により固定されている。この受枠４は、下板部４１の上に四角筒部４２を介して平行に上板部４３を設けた構成になっている。
【００３６】
この受枠４の上板部４３の上面には、上向きに開放する２つの環状溝４３ａ，４３ｂが径方向内外に同心円状に設けられている。この２つの環状溝４３ａ，４３ｂには、下記する２つのシールリング９，１０がそれぞれ装着されている。
【００３７】
また、下板部４１の下面には、環状溝（符号省略）が設けられていて、この環状溝にはＯリング４６が装着されている。このＯリング４６は、ベースプレート３と下板部４１との当接面を密封するものである。但し、ベースプレート３と下板部４１とが一体物である場合には、Ｏリング４６は不要である。
【００３８】
蓋５は、上開口１を覆い隠すことが可能な外形形状（例えば略矩形）の板とされており、その弾性変形を防止するために、上面には、補強リブ５１が十字状に取り付けられている。この蓋５は、例えば金属材料、適宜の合成樹脂、あるいはカーボン繊維などで形成される。
【００３９】
キャスター６は、蓋５を前記地下空間の上開口１の閉塞位置と開放位置とにスライドさせる際にスライド操作力を軽減させるとともにスライド動作を円滑にさせるためのものであって、蓋５の下面における四隅に昇降機構７を介して取り付けられている。
【００４０】
このキャスター６は、側面視で逆さＵ字形の支持部材６１に、ローラ６２を不図示の支軸およびベアリングなどを介して回動自在に支持させた構成である。
【００４１】
昇降機構７は、キャスター６を蓋５に対して接近または離隔させるものであって、案内部材７１、ねじ軸７２、雌ねじ部材７３、リフトハンドル７４などを備えている。
【００４２】
案内部材７１は、キャスター６の支持部材６１を上下方向に直線変位可能に案内するものであって、蓋５の下面における四隅に固定されている。この案内部材７１は、それぞれ離隔して平行に対向配置される一対の平板とされている。
【００４３】
ねじ軸７２は、蓋５の四隅に厚み方向（上下方向）に貫通形成されている貫通孔５２に当該蓋５の上面から上向きに突出するように挿通されている。このねじ軸７２の上端には、リフトハンドル７４の係合部としてのナット７２ａが螺合装着されていて、このナット７２ａが回り止めピン７２ｂによりねじ軸７２に一体化されるようになっている。
【００４４】
雌ねじ部材７３は、蓋５の各貫通孔５２内に嵌合された状態でボルト（符号省略）などの締結部材により固定されていて、前記ねじ軸７２が螺合挿入されるものである。この雌ねじ部材７３とねじ軸７２とによって送りねじ機構が構成されている。
【００４５】
リフトハンドル７４は、ねじ軸７２を回動させるためのものであって、ねじ軸７２の上端の前記係合部に取り外し可能に係合装着されるようになっている。
【００４６】
このリフトハンドル７４は、図６に示すように、公知のラチェット式ソケットレンチ７４ａとソケット７４ｂとを組み合わせたものとされている。ソケット７４ｂは、ねじ軸７２の上端の係合部（ナット７２ａ）に僅かな隙間を持つ状態で外嵌されるような形状の孔が設けられている。
【００４７】
ロック機構８は、受枠４上に蓋５を離隔不可能に一体とするようにロックするためのものであって、図３および図７に示すように、Ｔ字形ボルト８１、ロックナット８２、座金８３、蓋５の長孔５３および受枠４の上板部４３の長孔４４などを備えている。
【００４８】
Ｔ字形ボルト８１は、断面が円形の棒状部材８１ａの上端に径方向に貫通するように操作ピン８１ｂが取り付けられていて、前記棒状部材８１ａの下端に小判型の引っ掛け部８１ｃが一体に設けられている。なお、操作ピン８１ｂは、その中心軸線が引っ掛け部８１ｃの長手方向に沿う中心線に対して平行になるように配置されている。
【００４９】
ロックナット８２は、Ｔ字形ボルト８１の外周のねじ溝８１ｄの外径側に螺合されるものであって、その外周において１８０度対向する位置には操作ピン８２ａが一直線に並ぶように設けられている。
【００５０】
座金８３は、蓋５の上面とロックナット８２の下面との間に配置されるものであって、Ｔ字形ボルト８１の引っ掛け部８１ｃからロックナット８２が配置される位置までの領域に僅かな隙間を持つ状態で外嵌されている。
【００５１】
蓋５の長孔５３および受枠４の上板部４３の長孔４４は、共に小判型の引っ掛け部８１ｃが余裕をもって挿通されるような小判型に形成されており、共に上下方向で合致するように設けられている。
【００５２】
２つのシールリング９，１０は、受枠４の上板部４３の２つの環状溝４３ａ，４３ｂに装着されることによって蓋５の内面と前記地下空間の上開口１との間を密封するものである。これらのシールリング９，１０は、図３に示すように、胴部９ａ，１０ａの上側にリップ９ｂ，１０ｂを一体的に設けた構成とされていて、リップ９ｂ，１０ｂが蓋５の下面に圧接される接触タイプとされている。
【００５３】
胴部９ａ，１０ａは、受枠４の２つの環状溝４３ａ，４３ｂに圧入嵌合されるものであって、断面が矩形に形成されており、その外径面には周方向に連続する突条部９ｃ，１０ｃが設けられている。この突条部９ｃ，１０ｃは、胴部９ａ，１０ａを環状溝４３ａ，４３ｂに圧入する際の締め代を確保するために設けられている。
【００５４】
リップ９ｂ，１０ｂは、その接触相手となる蓋５側つまり上側へ向けて斜め外径側向きに突出する形状とされており、その厚みは先端側へ向けて徐々に薄くなっている。
【００５５】
断熱カバー１１は、蓋装置２を上から覆い囲むような形状に形成されており、この実施形態において前記地下空間の上開口１の周囲のベースプレート３上にヒンジ１２を介して蓋５を隠蔽する閉塞状態と露呈する開放状態とに人力によって変更可能となるように設置されている。
【００５６】
この断熱カバー１１には、その開閉を補助するために、フレーム２４を介してガススプリング２５とショックアブソーバー（ダンパー）２６とが取り付けられている。つまり、断熱カバー１１の開放時にはガススプリング２５によって持ち上げる荷重を軽減できるようになっており、また、断熱カバー１１の閉塞時にはショックアブソーバー（ダンパー）２６によりゆっくり下げるような減衰効果が得られるようになっている。
【００５７】
この断熱カバー１１は、前記閉塞状態において、押え板１３およびスタッドボルト１４ａおよび蝶ナット１４ｂなどの締結部材により、簡単に開放できないようになっている。
【００５８】
押え板１３は、断熱カバー１１のフランジ１１ａを上から押さえつけるものであって、その長手方向数ヶ所には、スタッドボルト１４ａが挿通される長孔１３ａが設けられている。
【００５９】
スタッドボルト１４ａは、ベースプレート３に植設されている。また、断熱カバー１１には、作業者が手で掴むための取っ手１１ｂが設けられている。
【００６０】
この断熱カバー１１を開放するときには、蝶ナット１４ｂを緩めて押え板１３を引っ張るようにスライドすることにより、断熱カバー１１のフランジ１１ａから押え板１３を引き離す必要がある。
【００６１】
次に、図８〜図１０を参照して、上述した蓋装置２の開閉手順を説明する。
【００６２】
閉塞している蓋装置２を開放するには、まず、図８の二点鎖線で示すように、断熱カバー１１を開放する。
【００６３】
このとき、蝶ナット１４ｂを緩めて押え板１３を引っ張るようにスライドさせてから、断熱カバー１１のフレーム２４を、ヒンジ１２（図８のみ記載）を支点として矢印方向に１８０度回転させることにより、上開口１の近傍にひっくり返した状態で配置させる。但し、断熱カバー１１はフレーム２４に対して回動自在に支持されているので、ひっくり返らずに、閉塞状態の姿勢のままに保たれる。
【００６４】
この後、ロック機構８をアンロックする。このとき、ロックナット８２を緩めてから、Ｔ字形ボルト８１をアンロック方向に回すことにより、Ｔ字形ボルト８１の引っ掛け部８１ｃを蓋５の長孔５３および受枠４の上板部４３の長孔４４に合致させると、当該Ｔ字形ボルト８１を引き上げることができるようになる。
【００６５】
なお、前記Ｔ字形ボルト８１の引っ掛け部８１ｃを蓋５の長孔５３および受枠４の上板部４３の長孔４４に合致させる作業は、Ｔ字形ボルト８１の操作ピン８１ｂを蓋５の長孔５３の長手方向に合致させるようにすればよいので、当該作業は比較的簡単に行える。
【００６６】
引き続いて、リフトハンドル７４を昇降機構７のねじ軸７２の係合部（ナット７２ａ）に係合装着させてから、このリフトハンドル７４を締め込み側に回す。
【００６７】
このとき、ねじ軸７２が雌ねじ部材７３に対して深くねじ込まれることになるが、ねじ軸７２の下端に固定されているキャスター６がベースプレート３上で不動になっている関係より、雌ねじ部材７３が固定されている蓋５が、図９に示すように、上昇することになる。
【００６８】
これにより、蓋５が浮上して受枠４の上板部４３および２つのシールリング９，１０のリップ９ｂ，１０ｂから離れるとともに、蓋５がキャスター６のみで支持された状態になる。
【００６９】
この状態で蓋５を開放側へ人力によって押す（または引っ張る）と、図１０に示すように、ローラ６２が転動して蓋５がスライドさせられることになるので、地下空間の上開口１の全体が開放されることになる。これにより、蓋装置２が開放状態になる。なお、蓋５をスライドさせる力は、キャスター６の転動動作により比較的軽くなる。
【００７０】
また、前記開放側にスライドさせた蓋５は、図５に示すように、その位置でストッパ２７により停止されるようになっていて、ロックピン２８により不動にされるようになっている。
【００７１】
このロックピン２８は、蓋５に設けられる貫通孔５４から受枠４の上板部４３に設けられる貫通孔４３ｃ（図１０のみ記載）に跨って挿入されることによって、蓋５を不動に固定するようになっている。
【００７２】
このため、蓋５を閉塞する場合には、ロックピン２８を前記貫通孔５４，４３ｃから抜き取る必要がある。
【００７３】
さらに、この実施形態では、図５に示すように、蓋５を開放したとき、シールリング９，１０の全体を露呈させる状態にせずに一部を覆う状態になっている。そのため、シールリング９，１０を交換する場合には、ストッパ２７においてストッパベース２７ａから緩衝ゴム２７ｂを取り外すことにより、蓋５の開放時にシールリング９，１０の全体を露呈する位置まで蓋５をスライド可能にさせる必要がある。
【００７４】
このようにして開放した蓋装置２を閉塞するには、上述した動作と反対の動作を行えばよい。
【００７５】
具体的には、蓋５を閉塞側へ向けてスライドさせて受枠４の上板部４３上に配置させてから、リフトハンドル７４を緩める側に回すことにより、蓋５を下降させて受枠４の上板部４３上に載せる。
【００７６】
このとき、２つのシールリング９，１０のリップ９ｂ，１０ｂが斜め姿勢になっているから、このリップ９ｂ，１０ｂが蓋５の下面によって倒されるようになって蓋５の下面に圧接される状態になる。これにより、２つのシールリング９，１０により高い止水性能が発揮されることになる。
【００７７】
この後、Ｔ字形ボルト８１の引っ掛け部８１ｃを蓋５の長孔５３および受枠４の上板部４３の長孔４４に差し入れてから、正回転または逆回転させることにより引っ掛け部８１ｃを前記各長孔５３，４４と直交させる。
【００７８】
引き続いて、ロックナット８２を締め込むことにより蓋５と受枠４の上板部４３とを圧接させると、ねじ軸７２を回転不可能なロック状態にすることができる。これにより、蓋５が受枠４に対して離隔不可能になって、蓋５が閉塞状態のまま不動とされる。
【００７９】
次に、前記ひっくり返していたフレーム２４をヒンジ１２を支点に前記とは逆に１８０度戻すように回転させると、当該フレーム２４に支持されている断熱カバー１１が蓋５を覆い隠す状態になる。
【００８０】
そして、押え板１３を押し込むようにスライドさせて断熱カバー１１のフランジ１１ａの上に重ね合わせてから、蝶ナット１４ｂを締める。これにより、蓋装置２が閉塞状態になる。
【００８１】
以上説明したように、本発明を適用した実施形態では、電源を用いずに、昇降機構７でもって蓋５を上昇させてから、キャスター６でもって蓋５をスライドさせることにより地下空間の上開口１を開放するようになっている。
【００８２】
つまり、前記昇降機構７は、ねじ軸７２と雌ねじ部材７３とで構成する送りねじ機構であって、リフトハンドル７４を用いて人力で作動させる構成である。また、前記キャスター６は、蓋５の下面に支持部材６１を介してローラ６２を取り付ける構成である。
【００８３】
このように、この実施形態の蓋装置２は、比較的簡素な構成でありながら、比較的簡易かつ円滑に開閉できるようになるとともに、万一の停電発生時に蓋５を開放できなくなるといった不具合が無い。また、リフトハンドル７４が昇降機構７と別体であるから、蓋装置２の管理関係者以外の第三者が蓋装置２を開放することを抑制できるようになる。
【００８４】
しかも、２つのシールリング９，１０は、リップ９ｂ，１０ｂ付きであって、当該リップ９ｂ，１０ｂを斜め姿勢で蓋５に接触させる構成であるから、蓋５が重量物であってもリップ９ｂ，１０ｂが潰れにくいなど耐久性に優れているうえ、当該リップ９ｂ，１０ｂが外部からの圧力印加時に蓋５への接触圧力が高められるようになるなど、止水性能が可及的に高くなる。これにより、風雨や津波などによる地下空間への浸水を防止できるようになる。
【００８５】
ところで、上記した蓋装置２の場合、内側のシールリング９の止水性能をテストすることが可能になっている。
【００８６】
つまり、図１１に示すように、２つのシールリング９，１０のうちの外側のシールリング１０を外側の環状溝４３ｂから取り外して、その代わりに、この外側の環状溝４３ｂにテストシールリング１５を装着する。
【００８７】
このテストシールリング１５は、２つのシールリング９，１０と類似した形状であって、胴部１５ａの上側に、斜め内径側向きに突出するリップ１５ｂを一体的に設けた構成とされている。胴部１５ａの内径面には、図示していないが、周方向に連続する突条部が設けられている。
【００８８】
そして、この止水性能のテストは、前記外側のシールリング１０の代わりにテストシールリング１５を外側の環状溝４３ｂに装着した状態において、当該テストシールリング１５と内側のシールリング９との対向間に作られる密封空間に不図示の水圧印加装置により基準の水圧を印加しておき、ゲージ１６により前記水圧が低下するか否かを判定する形態とすることができる。
【００８９】
このようなテストであれば、前記２つのシールリング９，１０の劣化度合いを目視点検する場合に比べて、点検作業員の熟練度に関係なく、内側のシールリング９の止水性能テストを簡単かつ正確に行えるようになる。
【００９０】
なお、本発明は、上記実施形態のみに限定されるものではなく、特許請求の範囲内および当該範囲と均等の範囲内で適宜に変更することが可能である。
【００９１】
（１）上記実施形態では、受枠４側に２つのシールリング９，１０を装着して、２つのシールリング９，１０のリップ９ｂ，１０ｂを蓋５の下面に接触させる形態を例に挙げているが、本発明はこれのみに限定されるものではない。
【００９２】
例えば蓋５側に２つのシールリング９，１０を装着して、２つのシールリング９，１０のリップ９ｂ，１０ｂを受枠４の上板部４３の上面に接触させる形態にすることが可能である。
【００９３】
具体的に、例えば図１２および図１３に示すように、蓋５の下面には、２つのシールリング９，１０の装着用のホルダプレート１７が接合されている。
【００９４】
このホルダプレート１７の下面には、２つの環状溝１７ａ，１７ｂが同心円状に設けられており、この２つの環状溝１７ａ，１７ｂに２つのシールリング９，１０が装着されている。
【００９５】
なお、２つのシールリング９，１０は、その脱落を防止するために、ホルダプレート１７の下面に抜け止め板１８（図１３のみ記載）が皿ねじ（符号省略）などにより取り付けられている。
【００９６】
ここでの２つのシールリング９，１０は、上記実施形態で示したシールリング９，１０を上下反対に向き替えしたものである。このように上下反対にしたシールリング９，１０は、共に、胴部９ａ，１０ａの下側にリップ９ｂ，１０ｂを一体に設けた構成になっている。リップ９ｂ，１０ｂは、その接触相手となる受枠４の上板部４３側つまり下側へ向けて斜め外径側向きに突出する形状になっており、その厚みは先端側へ向けて徐々に薄くなっている。
【００９７】
このような場合においても上記実施形態と同様の作用、効果が得られるので、その詳細な説明は割愛する。
【００９８】
（２）上記実施形態では、蓋５に昇降機構７を設けた例を挙げているが、本発明はこれのみに限定されるものではない。
【００９９】
例えば図１４から図１６に示すように、全てのキャスター６を蓋５に支持ピン１９を介して上下変位自在に取り付けるようにし、蓋装置２と別体のジャッキ２０でもって蓋５を上昇させることによって受枠４から浮上させておき、スペーサ２１を用いることによって前記浮上状態を維持するようにすることが可能である。
【０１００】
具体的に、４つのキャスター６の支持部材６１の上部には、支持ピン１９が固定されていて、この支持ピン１９の上端には、落下防止用の環状板１９ａがボルト１９ｂにより固定されている。
【０１０１】
この支持ピン１９は、蓋５の四隅に設けられる貫通孔５２に隙間を介して挿通されていて、この支持ピン１９の上端の環状板１９ａが貫通孔５２の上開口の周囲に引っ掛けられることにより下向きに抜け落ちないようになっている。
【０１０２】
スペーサ２１は、図１６に示すように、平面視矩形状の板に、Ｕ字形の凹み２１ａを設けた形状になっており、紛失防止のために、図１５に示すように、鎖２１ｂを介して蓋５に取り付けられている。
【０１０３】
一方、一対の案内部材７１のうちの外側に配置されている案内部材７１には、スペーサ２１を出し入れするための切り欠き７１ａが設けられている。
【０１０４】
なお、この実施形態では、上記の他に、図１に示しているロック機構８の代わりに、蓋５を上昇させていない状態でのスライドを防止するためのボルト２２が用いられている。
【０１０５】
また、この実施形態の蓋５には、図２に示している長孔５３の代わりに、円形の貫通孔５３ａが設けられており、この貫通孔５３ａに前記ボルト２２が隙間を介して挿通されている。このボルト２２の下端部分は、貫通孔５３ａから下向きに突出されている。
【０１０６】
さらに、この実施形態の受枠４の上板部４３には、図２に示している長孔４４の代わりに、雌ねじ孔４４ａが設けられており、この雌ねじ孔４４ａには前記ボルト２２の下端部分が螺合挿入されるようになっている。
【０１０７】
このようなことから、蓋５を上昇させる際には、事前に、ボルト２２の下端部分を受枠４の上板部４３の雌ねじ孔４４ａおよび蓋５の貫通孔５３ａから取り外しておく必要があり、そうすることによって、蓋５がスライド可能になる。
【０１０８】
一方、前記上昇させていた蓋５を下げて受枠４上に載置する際には、蓋５の貫通孔５３ａを受枠４の雌ねじ孔４４ａに合致させるように位置合わせする必要がある。
【０１０９】
そして、この実施形態において、蓋５を開放するには、蓋５をジャッキ２０によって上昇させることによって受枠４から浮上させてから、それに伴いキャスター６の支持部材６１と蓋５との間に発生する離隔空間に、スペーサ２１を差し入れながら、当該スペーサ２１の凹み２１ａを支持ピン１９に嵌め合わせると、蓋５を受枠４から浮上させた状態が維持されることになる。
【０１１０】
このようにしてから、蓋５をスライドさせると、地下空間の上開口１を開放することができるようになる。
【０１１１】
この実施形態の場合、ジャッキ２０が蓋５と別体であるから、蓋装置２の管理関係者以外の第三者が蓋装置２を開放することを抑制できるようになる。
【０１１２】
（３）上記実施形態では、前記地下空間の上開口１を蓋装置２の使用対象とした場合を例に挙げているが、本発明はこれのみに限定されるものではなく、例えば地上に設置される構造物や船舶の貨物艙などのようないろいろな構造物の空間の上開口を使用対象とすることが可能である。
【０１１３】
（４）上記実施形態では、昇降機構７をねじ軸７２と雌ねじ部材７３とによる送りねじ機構とした例を挙げているが、本発明はこれのみに限定されるものではない。
【０１１４】
例えば昇降機構７は、図示していないが、ねじ軸７２と雌ねじ部材７３との螺合部分にボールを配置したボールねじ機構とすることが可能である。この場合には、リフトハンドル７４の回動操作が軽くなるので、蓋５を開放するときの作業がより簡易に行えるようになる。
【０１１５】
（５）上記実施形態では、リフトハンドル７４をラチェット式のソケットレンチ７４ａとソケット７４ｂとを組み合わせた構成とした場合を例に挙げているが、本発明はこれのみに限定されるものではなく、例えば専用設計された操作具とすることが可能である。
【産業上の利用可能性】
【０１１６】
本発明は、空間の上開口を開閉するための蓋装置に好適に利用することが可能である。
【符号の説明】
【０１１７】
１  地下空間の上開口
２  蓋装置
４  受枠
４３  上板部
４３ａ，４３ｂ  環状溝
５  蓋
５２  貫通孔
６  キャスター
６１  支持部材
６２  ローラ
７  昇降機構
７１  案内部材
７２  ねじ軸
７３  雌ねじ部材
７４  リフトハンドル
８  ロック機構
８１  Ｔ字形ボルト
８１ａ  棒状部材
８１ｂ  操作ピン
８１ｃ  引っ掛け部
８１ｄ  ねじ溝
８２  ロックナット
８２ａ  操作ピン
８３  座金
９  内側のシールリング
９ａ  胴部
９ｂ  リップ
９ｃ  突条部
１０  外側のシールリング
１０ａ  胴部
１０ｂ  リップ
１０ｃ  突条部
１５  テストシールリング
【図１】
2018155026.tif 000003
【図２】
2018155026.tif 000004
【図３】
2018155026.tif 000005
【図４】
2018155026.tif 000006
【図５】
2018155026.tif 000007
【図６】
2018155026.tif 000008
【図７】
2018155026.tif 000009
【図８】
2018155026.tif 000010
【図９】
2018155026.tif 000011
【図１０】
2018155026.tif 000012
【図１１】
2018155026.tif 000013
【図１２】
2018155026.tif 000014
【図１３】
2018155026.tif 000015
【図１４】
2018155026.tif 000016
【図１５】
2018155026.tif 000017
【図１６】
2018155026.tif 000018